(57)【要約】  【課題】従来提案されている台棒を使用して鉄塔の組立て・解体を行う方法は、台棒を支持する支線を地上に固定するため、支線を固定する用地の確保が必要であるという問題があった。  【解決手段】先端側に滑車が取付けられると共に基端部が組立て・解体を行う鉄塔に取付けられており、かつ鉄塔に接続された支線によって鉄塔に支持されている台棒を備えていることを特徴とする鉄塔の組立て・解体装置であり、容易かつ安価に鉄塔の組立て・解体を行うことができると共に従来のように支線の他端を地上に固定するための用地を必要としない。  【選択図】  図１
2005068864.tif 000002
【特許請求の範囲】
【請求項１】
台棒を備えており、該台棒は先端側に滑車が取付けられると共に基端部が鉄塔に取付けられており、かつ鉄塔に接続された支線によって鉄塔に支持されていることを特徴とする鉄塔の組立て・解体装置。
【請求項２】
先端側に滑車が取付けられた台棒を使用して鉄塔の組立て・解体を行う鉄塔の組立て・解体方法であって、前記台棒の基端部を鉄塔に取付けると共に該台棒を鉄塔に接続された支線によって支持し、前記滑車を利用して鉄塔構築部材を引き上げまたは引き下ろして鉄塔の組立て・解体を行うことを特徴とする鉄塔の組立て・解体方法。
【請求項３】
台棒は、鉄塔の内側に位置するように配置されており、少なくとも１本以上の支線によって支持されていることを特徴とする請求項１記載の鉄塔の組立て・解体方法。
【発明の詳細な説明】
【技術分野】
【０００１】
本発明は、鉄塔の組立て・解体装置及び方法に関するものである。
【背景技術】
【０００２】
従来、鉄塔の組立て・解体を行うには一般にクレーンが使用されている（特許文献１参照）。このクレーンを用いて鉄塔の組立て・解体を行う方法は、大型鉄塔の組立て・解体には適しているが、小型鉄塔の組立て・解体においては費用が嵩むという問題があった。
【０００３】
そこで小型鉄塔の組立て・解体にクレーンを使わず、台棒を使用することが提案されている。台棒とは、鋼管等で作られた所定長の円筒状のパイプで、先端側に滑車が取付けられたものである。
【０００４】
図５に示すように、この台棒１0は、基端１１部が組立て・解体中の鉄塔２０に取付けられると共に、先端側１２に複数の支線３０の一端が取付けられ、該複数の支線３０の他端を地上に固定することによって鉄塔に支持されるもので、このような状態で使用されるものである。なお図５において符号４０は、台棒１０の先端側に取付けられた滑車である。
【０００５】
【特許文献１】特開平８−３０３０１０号公報
【発明の開示】
【発明が解決しようとする課題】
【０００６】
上記提案されている台棒を使用して鉄塔の組立て・解体を行う方法は、台棒を支持する支線を地上に固定するため、支線を固定する用地の確保が必要であるという問題があった。特に市街地等の狭隘地においては、支線を固定する用地を確保することが困難であるという問題がある。
【課題を解決するための手段】
【０００７】
本発明は、市街地等の狭隘地においても台棒を使用して簡単に鉄塔の組立て・解体を行うことができる鉄塔の組立て・解体装置及び方法を提供するものであり、請求項１記載の発明は、台棒を備えており、該台棒は先端側に滑車が取付けられると共に基端部が鉄塔に取付けられており、かつ鉄塔に接続された支線によって鉄塔に支持されていることを特徴とする鉄塔の組立て・解体装置である。
【０００８】
また請求項２記載の発明は、先端側に滑車が取付けられた台棒を使用して鉄塔の組立て・解体を行う鉄塔の組立て・解体方法であって、前記台棒の基端部を鉄塔に取付けると共に該台棒を鉄塔に接続された支線によって鉄塔に支持し、前記滑車を利用して鉄塔構築部材を引き上げまたは引き下ろして鉄塔の組立て・解体を行うことを特徴とする鉄塔の組立て・解体方法である。
【０００９】
更に請求項３記載の発明は、台棒は鉄塔の内側に位置するように配置されており、少なくとも１本以上の支線によって支持されていることを特徴とする請求項１記載の鉄塔の組立て・解体方法である。
【発明の効果】
【００１０】
本発明は以下のような効果がある。
請求項１に係る鉄塔の組立て・解体装置は、台棒を使用するために容易かつ安価に鉄塔の組立て・解体を行うことができる。また、特に台棒を鉄塔に接続された支線によって支持するために、従来のように支線の他端を地上に固定するための用地を必要としない。したがって、市街地等の狭隘地においても容易に鉄塔の組立て・解体作業を行うことができる。
【００１１】
請求項２に係る鉄塔の組立て・解体方法は、台棒を使用するために装置が簡単になる。また台棒が鉄塔に接続された支線によって鉄塔に支持されており、支線を地上に固定しない。したがって、市街地等の狭隘地においても容易に鉄塔の組立て・解体作業を行うことができる。
【００１２】
請求項３に係る鉄塔の組立て・解体方法は、鉄塔の内側に位置するように配置された台棒を少なくとも１本以上の支線によって支持するので、台棒を簡単に支持でき安全に作業を行うことができる。
【発明を実施するための最良の形態】
【００１３】
以下、本発明を実施するための最良の形態実施につき、図１ないし図４を参照して詳細に説明する。
【００１４】
図１は、本発明に係る鉄塔の組立て・解体装置の概略正面図、図２は図１の平面図である。
この鉄塔の組立て・解体装置は、台棒１０を備えている。台棒１０は、鋼管等で作られた円筒状のパイプで、長さは例えば１２ｍ程度である。この台棒１０の先端側には滑車４０が取付けられている。また台棒１０は組立て・解体を行う鉄塔２０（以下単に鉄塔２０という）の内側に位置するように配置されており、その基端部１１は、鉄塔２０に取付けられている。すなわち、台棒１０の基端部１１は、鉄塔２０に固定された取付台座５０に取り付けられている。
【００１５】
更に台棒１０の中間部は、鉄塔２０に接続された３本の支線３０、３１、３２によって鉄塔に支持されている。支線３０は、台棒１０が倒れるのを防止する役目を有しており、支線３１、３２は台棒１０が振れるのを防止する役目を有している。支線の数は３本に限定するものではなく、少なくとも１本以上あればよいが、最低３本あれば、鉄塔２０の内側に位置するように配置された台棒１０を、その振れを防止した状態で鉄塔２０に支持することができるので好ましい。
【００１６】
なお図１において、符号６０は台棒１０の下部側に設けられた下部滑車であり、該下部滑車６０と台棒１０の先端側の滑車４０には、一端側がウインチ等（図示せず）に巻かれているワイヤー７０が取り付けられている。
【００１７】
上記構成から成る鉄塔の組立て・解体装置を用いて鉄塔の組立てを行うには、まず上記のように台棒１０を鉄塔に取付け、しかる後、ワイヤー７０によって鉄塔構築部材８０を吊り上げ、該吊り上げた鉄塔構築部材８０を既に組み上がった鉄塔２０に接続していけばよい。台棒１０を取付けた範囲での組立てが完了した後は、台棒１０の盛り替えを行い、順次鉄塔構築部材８０を組み立てていくものである。
【００１８】
なお、上記構成から成る鉄塔の組立て・解体装置を用いて鉄塔の解体を行うには、まず、ワイヤー７０に解体すべき鉄塔部材８０を接続しておき、次に鉄塔部材８０を鉄塔２０に固定しているボルト（図示せず）を外すことによって、解体すべき鉄塔構築部材８０を鉄塔２０から分離し、次にワイヤーを引き降ろすことによって順次解体を行うものである。
【００１９】
図３は台棒１０を鉄塔２０に取り付けた状態の他の説明図である。図３は台棒１０を、該台棒１０の中間部に接続した２本の支線３０で鉄塔２０に支持し、かつワイヤー７０を台棒１０内に挿通した点で前記実施形態と相違している。その他の点は前記実施形態と同一であるので、同一部分には同一符号を付して説明を省略する。
【００２０】
図４は台棒１０を鉄塔２０に取り付けた状態の更に他の説明図である。図４は、台棒１０を、該台棒１０の先端部に接続した２本の支線３０で鉄塔２０に支持した点で前記実施形態と相違している。その他の点は前記実施形態と同一であるので、同一部分には同一符号を付して説明を省略する。
【００２１】
なお本発明で使用する台棒の形状や材質、及び台棒を鉄塔内で支持する方法は特に限定するものではない。
【図面の簡単な説明】
【００２２】
【図１】本発明に係る鉄塔の組立て・解体装置の概略正面図、
【図２】図１の概略平面図、
【図３】台棒を取り付けた状態の他の説明図、
【図４】台棒を取り付けた状態の更に他の説明図、
【図５】台棒を使用した鉄塔の組立て・解体装置の概略正面図。
【符号の説明】
【００２３】
１０          台棒
２０          鉄塔
３０，３１，３２        支線
４０          滑車
５０          取付台座
６０          下部滑車
７０          ワイヤー
８０          鉄塔構築部材
【図１】
2005068864.tif 000003
【図２】
2005068864.tif 000004
【図３】
2005068864.tif 000005
【図４】
2005068864.tif 000006
【図５】
2005068864.tif 000007